(57)【要約】  本発明は、油水分離機能を有するマンホールに関するものでありマンホール下方の流入誘導管に外気を自然流入させて汚水の油と水（下水）との分離を容易にし、油および下水の発生が不特定である一戸建て住宅、集合住宅、駐車場、ガソリンスタンド、道路などで便利に使用できるようにするところに目的がある。マンホール本体の流入管の内側には、流入誘導管が設けられて構成される。本発明は、油および生活排水を含む汚水がマンホールに流入すると、汚水が流入誘導管に流入する際に発生する渦流現象により外気を流入誘導管に流入させて汚水を油と下水とに分かれるように比重分離させ、また、油は流入する油の粘性により塊になって大きくなれば、マンホールカバーを外して油塊をくみ取って回収できるので使用に便利なメリットがある。【選択図】図５
2019512631.tif 000002
【特許請求の範囲】
【請求項１】
上部が開放されるマンホール本体１の一方の壁には流入管１ａを設け、他方には排出管１ｂを設け、前記排出管１ｂの内側には排出誘導管３０を結合し、マンホール本体１上部の開放部に蓋２がかぶせられるマンホールにおいて、流入管１ａの内側にはマンホールに流入する汚水に外気を自然流入させて汚水を油と下水とに比重分離する流入誘導管１０を備えたことを特徴とする、油水分離機能を有するマンホール。
【請求項２】
マンホール本体１の流入管１ａにおいて蓋２の外部の空気を流入誘導管１０に自然流入させ得るように、流入誘導管１０の上部には、下受管１１を設けるとともに、前記下受管１１から垂直上部に位置する部分の蓋２には、筒孔２０と段差２０ａとが形成され、前記下受管１１と筒孔２０との間には、蓋２の筒孔２０を覆う栓４０ａと空気通路４０ｂと段差４０ｃとを順に有する接続管４０が設けられ、前記接続管４０により蓋２と下受管１１とが結合して構成されることを特徴とする、請求項１に記載の油水分離機能を有するマンホール。
【発明の詳細な説明】
【技術分野】
【０００１】
本発明は、油水分離機能を有するマンホールに関するものであり、マンホールカバーの下方に接続管により流入誘導管と連結し、外気をマンホール本体の内部に流入させて汚水の油と汚水との分離を効率的にし、油塊の回収を容易にできるようにしたものである。
【背景技術】
【０００２】
廃油と汚水とがともに大量で、かつ、一定に発生する産業現場においては、油水の発生量と、発生周期と、種類とに応じて比重分離法、水力分離法、吸着分離法など、様々な方法で廃油と汚水とを分離して処理している。
【０００３】
しかし、一戸建て住宅、集合住宅、道路、駐車場、ガソリンスタンド、飲食店などで発生する汚水（食堂の料理の調理過程で発生する種々の油と牛骨スープなどの調理過程で発生する油と生活排水）は、発生量が不特定で量が少ないので分離処理ができず、油と生活排水とは混合されたままマンホールに流入し、汚水と油とはともに下水管路を通って廃水処理場に排出されている。
【０００４】
前記の過程において、油は粘性が高く、冷却されると異物とともに塊に固形化してマンホールおよび下水管を通る管路内壁に吸着し、管路の管径が徐々に狭くなって程なく詰まってしまうと排水ができなくなるので、苦情が発生し、これを管理する自治体では、詰まりを処理して管理するのに多額の費用が消費される。また、廃水処理場に固形化した油塊と汚水とが一緒に流入した場合、廃水処理場でこれを移送するポンプなどの装置には、油の粘性により負荷がかかって機械的故障が発生し、また、油を含んでいる汚水を浄化処理すると、浄化効率が低下する要因となっているのが実情である。
【０００５】
これを解消する手段としてマンホールに油分離チャンバを設けて油と水とを分離し、油はマンホール下側の油貯蔵タンクに集めて外部に排出させ、水はマンホールから下水管路に排出されるように構成されたマンホールを用いるか、油と生活排水とがマンホールに流入すると、生活排水は排出管に排出され、比重の低い油はマンホールにて上に浮遊し集まるようにして、中央の清掃口で汲み上げられるように構成して使用される。
【０００６】
前記のような従来の手段は、外気がマンホール内部に流入せず、熱い汚水の場合は油水の分離が難しく、分離効率が低いので、広く利用されていないのが実情である。
【発明の概要】
【発明が解決しようとする課題】
【０００７】
本発明は、前記指摘した従来の諸欠点を解消し、油と生活排水とを含む汚水の発生量が不定または少量である一戸建て住宅、集合住宅、飲食店、道路、駐車場、ガソリンスタンドなどから汚水がマンホール内部に流入したら外気も一緒に流入させて、油と下水との分離効率を向上させ、油の回収が便利な油水分離機能を有するマンホールを提供し、前記マンホールに汚水が流入すれば、マンホールの蓋を介して外気を流入誘導管の内部に流入させて、汚水に含まれている油と下水とを自然に分離し、下水より比重が低い油は下水の上に浮遊するようにして、回収が容易にできるようにした油水分離機能を有するマンホールを提供することに目的がある。
【課題を解決するための手段】
【０００８】
本発明は、図１〜図４に示すように、上部が開放されるマンホール本体１の一方の壁面には流入管１ａが、他方には排出管１ｂが設けられ、前記排出管１ｂの内側にはガス流入管３１を有する排出誘導管３０が結合して設けられ、蓋２がマンホール本体１上部の開放部にかぶせられるマンホールにおいて、図３〜図５に示すように流入管１ａの内側にはマンホールに流入する汚水に外気を自然流入させて、汚水から油と下水とに比重分離するのを容易にする流入誘導管１０が設けられて構成される。
【０００９】
前記流入誘導管１０において図３〜図５に示すように、流入誘導管１０の上部には、蓋２から流入させた外気を誘導管１０に流入させ得るように下受管１１が設けられ、前記下受管１１の垂直上部に位置する部分の蓋２には、筒孔２０と段差２０ａとが形成され、前記下受管１１と蓋２の筒孔２０との間には、蓋２の筒孔２０を覆う栓４０ａ、空気通路４０ｂおよび段差４０ｃを順番に有する接続管４０が設けられて構成される。
【００１０】
図面において未説明の符号５０は密封パッキン、１００はこし網、１０１は沈殿物遮断膜を示すものである。
【発明の効果】
【００１１】
前記本発明は、油と生活排水との発生量が少量であるか一定でない一戸建て住宅、集合住宅、飲食店、道路、駐車場、ガソリンスタンドなどで発生した油と生活排水とが混合した汚水を下水管路に繋がる地点にマンホールを設置して用いられる。
【００１２】
前記のように施工された状態で、油と下水とが含まれている汚水が流入管を通ってマンホールの本体内部に流入すると、蓋に連結された接続管の空気通路から外気が流入誘導管に流入し、汚水は自然に油と下水とに比重分離され、比重の低い油は下水の上に位置してマンホールから収集され、下水は腐敗しながら発生したガスとともに排出誘導管を通って下水管路に排出され、油は排出されずマンホール本体に残存するようにして回収を容易にできる利点がある。
【図面の簡単な説明】
【００１３】
【図１】本発明の全体斜視図。
【図２】本発明の正面図。
【図３】本発明の排出管側から見た分解斜視図。
【図４】本発明の流入管側から見た分解斜視図。
【図５】本発明の縦断面図。
【図６】本発明において、外気の接続管および流入誘導管への流入状態を示す断面例示図。
【図７】本発明において、接続管と密封パッキングとを抜粋した斜視図。
【発明を実施するための形態】
【００１４】
本発明の具体的な実施例を図面に基づいて詳細に説明すると、以下の通りである。
【００１５】
本発明は、図１〜図４に示すように、上部が開放されるマンホール本体１の一方の壁には流入管１ａが、他方には排出管１ｂが設けられ、前記排出管１ｂの内側には、マンホールガス流入管３１に設けられた排出誘導管３０が結合され、蓋２がマンホール本体１の開放部にかぶせられるマンホールにおいて、図３〜図５に示すように流入管１ａの内側には、マンホールに流入する汚水に外気を自然流入させて油と下水とに比重分離がなされるように流入誘導管１０が設けられて構成される。
【００１６】
前記流入誘導管１０は、図３〜図５に示すように、外気を流入誘導管１０に流入させ得るように、流入誘導管１０の上部には下受管１１を設け、前記下受管１１から垂直上部に位置する部分の蓋２には、筒孔２０と段差２０ａとが形成され、前記下受管１１と筒孔２０との間には、蓋２の筒孔２０を覆う栓４０ａと空気通路４０ｂと段差４０ｃとを順番に有する接続管４０が結合して構成される。
【００１７】
前記本発明は、図３〜図５に示すように、マンホール本体１、蓋２、流入誘導管１０、接続管４０を、合成樹脂材を素材として射出成形で製造すれば規格仕様で量産製造が可能となる。
【００１８】
前記本発明のマンホールを油および生活排水の発生量が少量であるか一定でない場所である一戸建て住宅、集合住宅、飲食店、道路、駐車場、ガソリンスタンドなどにおいて下水用マンホールとして使用すると、外気をマンホールの流入誘導管に自然流入させて汚水を油と下水とに比重分離することを容易にし、また分離された油塊は洗浄過程で回収することになる。
【００１９】
一例として、一戸建て住宅で牛骨スープを調理する際、煮込むうちに発生した油を取り除いて生活排水路に排出すると、図５に示すように、該油（廃油）と生活排水とが一緒に下水管路を経てマンホールの流入管１ａを通ってマンホール本体１に流入する。
【００２０】
この際、生活汚水および油が、混合状態で図５および図６に示すようにマンホール本体１の流入管１ａに流入すると、流入誘導管１０に落下して渦流現象が発生し、渦流の流速に比例してマンホールの外気が蓋２に結合された接続管４０の空気通路４０ｂを介して流入し、生活排水および油がマンホール本体１に流入するとともに外気も流入する。
【００２１】
前記のように、生活排水および油と外気とが一緒にマンホール本体１の内部に流入すると、異物はこし網１００にてろ過され、生活排水と油とが効率的に比重分離され、比重の高い生活排水はマンホール本体１の底部に位置し、油は水よりも比重が低いので生活排水の上に浮遊するようになる。
【００２２】
前記マンホール本体１において、生活排水は水位が上昇するとマンホール本体１の排出管１ｂに排出される。
【００２３】
すなわち、生活排水の水位が排出管１ｂの位置よりも高くなると、生活排水はマンホール本体１の排出誘導管３０と排出管１ｂとを経て下水管路に排出される。
【００２４】
また、マンホール本体１の内部に油および生活排水が流入すると、外気も流入して比重分離され、腐敗により発生した悪臭やガスは排出誘導管３０上部のガス流入管３１を介して生活排水とともに排出される。
【００２５】
本発明において、住宅や小型飲食店にマンホールを設置すれば、図６に示すように、熱くなった油を含む下水が一緒にマンホール本体１の流入管１ａに流入され、接続管４０の空気通路４０ｂを介して蓋２外側の外気がマンホール本体１の流入誘導管１０に流入し、また、流入誘導管１０に流入する汚水に流入空気による渦流が発生して汚水が冷却され、冷却された汚水の油と下水とは比重に応じて自然分離がなされるので、油水分離を効率的に行えるようになる。
【００２６】
また、蓋２の筒孔２０の下側に設けられた段差２０ａ上には、接続管４０における栓４０ａの下側に設けられた段差４０ｃが当接し、筒孔２０の壁面と接続管４０の外壁との間には空間が形成され、外気は蓋２と、筒孔２０と接続管４０の外壁との間の空間と、栓４０ａの下方の空気通路４０ｂとを通ってマンホール本体１の空気流入誘導管１０に流入されるようにしているが、本発明は前記構成に限定する必要はない。
【００２７】
また、図５に示すように、蓋２に結合される接続管４０とマンホール本体１の流入管１ａの内側に設けた流入誘導管１０上部の下受管１１との間は、密封パッキング５０により接続管４０と下受管１１とを密封結合すれば、漏水やマンホール本体１内の悪臭が接続管４０に逆流することを防ぐことができる。
【００２８】
前記の過程が繰り返され、マンホール本体１の生活排水上に浮遊する油や廃油は粘性により凝集され、その塊が大きくなると、マンホール本体１の蓋２を外して汲み桶などでくみ取って回収できるようになる。
【００２９】
以上のように、本発明のマンホールは、外気を流入誘導管１０内に自然流入させて汚水を油と下水とに比重分離し、マンホール本体１の内部で油と下水との腐敗により発生したガスと悪臭とが排出誘導管３０において下水とともに排出され、マンホール本体１において油が凝集すれば蓋２を外して回収することができるようになる。
【符号の説明】
【００３０】
１：マンホール本体
１ａ：流入管
１ｂ：排出管
２：蓋
１０：流入誘導管
１１：下受管
２０：筒孔
２０ａ、４０ｃ：段差
３０：排出誘導管
３１：ガス流入管
４０：接続管
４０ａ：栓
４０ｂ：空気通路
【図１】
2019512631.tif 000003
【図２】
2019512631.tif 000004
【図３】
2019512631.tif 000005
【図４】
2019512631.tif 000006
【図５】
2019512631.tif 000007
【図６】
2019512631.tif 000008
【図７】
2019512631.tif 000009
【国際調査報告】
2019512631.tif 000010
2019512631.tif 000011
2019512631.tif 000012
2019512631.tif 000013